(57)【要約】      （修正有）【課題】フィルタの取り付けおよび調整を簡便にして、写真撮影時に生じた口径食や漏光の問題を解決するフィルタ組立構造を提供する。【解決手段】磁気的吸着により少なくとも１つのフィルタ３００とフィルタホルダー２００を着脱する。フィルタホルダーにフィルタを取り付けるときのスタック現象を解決し、従来のスロットを省略してフィルタホルダー全体の厚みを大幅に低下させ、フィルタを装着した後に口径食を発生させることがなく、撮影効果を向上させることができる。使用時、フィルタは、従来のホルダーのスロットの品質やフィルタ自体の重量により下へ移動しにくく、安定的且つ確実に装着でき、同時に、フィルタを柔軟且つ簡便に上下摺動または前後回転できる。また、フィルタとフィルタの間にスリットにより漏光が発生することがなく、撮影効果に悪影響を及ぼさない。【選択図】図１
0003217232.tif 000002
【実用新案登録請求の範囲】
【請求項１】
フィルタホルダーと少なくとも１つのフィルタとを含むフィルタ組立構造であって、
前記少なくとも１つのフィルタは磁気的吸着により前記フィルタホルダーに装着されることを特徴とするフィルタ組立構造。
【請求項２】
前記フィルタの周辺に磁性材料が内部に設けられた固定枠が設けられ、前記フィルタホルダーはフィルタを取り付けるための取付領域が設けられ、少なくとも前記取付領域は磁性材料に磁気的に吸着可能な材料で製造されることを特徴とする請求項１に記載のフィルタ組立構造。
【請求項３】
前記固定枠は上枠、下枠、左枠および右枠を含み、少なくとも前記左枠と右枠内に前記磁性材料が設けられることを特徴とする請求項２に記載のフィルタ組立構造。
【請求項４】
前記左枠と右枠はそれぞれ中空溝と第１Ｕ字型溝が設けられ、前記上枠と下枠はそれぞれ第２Ｕ字型溝が設けられ、前記上枠と下枠の両端にそれぞれボスが設けられ、前記左枠と右枠はそれぞれ第１Ｕ字型溝を介してフィルタの左右両側に嵌め合いし、前記上枠と下枠はそれぞれ第２Ｕ字型溝を介してフィルタの上下両側に嵌め合いし、前記中空溝内に前記磁性材料が設けられ、前記固定枠は前記ボスを中空溝の両端にそれぞれ嵌め込んで組み立てられることを特徴とする請求項３に記載のフィルタ組立構造。
【請求項５】
前記第１Ｕ字型溝内および／または第２Ｕ字型溝内に両面テープが設けられることを特徴とする請求項４に記載のフィルタ組立構造。
【請求項６】
前記第１Ｕ字型溝および／または第２Ｕ字型溝の深さは１．５〜２ｍｍであることを特徴とする請求項４に記載のフィルタ組立構造。
【請求項７】
少なくとも前記左枠または右枠に目盛りが設けられることを特徴とする請求項３に記載のフィルタ組立構造。
【請求項８】
前記取付領域だけは磁性材料に磁気的に吸着可能な材料で製造されることを特徴とする請求項２に記載のフィルタ組立構造。
【請求項９】
少なくとも２つのフィルタを含み、隣接するフィルタの間に磁気的吸着によりフィルタに固定された中空接続リングが設けられることを特徴とする請求項１−８のいずれか１項に記載のフィルタ組立構造。
【請求項１０】
前記中空接続リングは、目盛りが設けられた円環状中空接続リングであることを特徴とする請求項９に記載のフィルタ組立構造。
【考案の詳細な説明】
【技術分野】
【０００１】
本考案は撮影機材分野に関し、特にフィルタを簡便に取り付けたり調整したりすることができるフィルタ組立構造に関する。
【背景技術】
【０００２】
撮影技術の成熟および発展に伴い、撮影への要件も高まり、フィルタ、たとえばＵＶフィルム（Ｕｌｔｒａ  Ｖｉｏｌｅｔ）、偏光フィルタ、NDフィルタ、スターバースト等は、プロ撮影用の補助手段として、プロ撮影、撮像分野に幅広く適用されている。
【０００３】
ＣＰＬは円偏光フィルタを意味し、偏光板とも呼ばれ、英語Ｃｉｒｃｕｌａｒ−Ｐｏｌａｒｉｚｉｎｇ  Ｆｉｌｔｅｒｓの略語であり、色濃度を高め、空の青色を濃くして白い雲を強調し、ガラスまたは水面などの非金属表面による反射光を解消し、また、画像全体の色調バランスを崩すことなく、大気での霧発生による風景写真のソフトフォーカスを減少させる。ＣＰＬ偏光フィルタを使用する場合、必要に応じてＣＰＬ偏光フィルタの角度を調整するため、ＣＰＬ偏光フィルタをしばしば回転させる必要があるので、他のフィルタと組み合わせて使用すると、一定の支障が発生し撮影効果に悪影響を与える。異なるフィルタと併用でき且つ優れたクリエイティブ撮影の効果を得るには、フィルタホルダーを使用しなければならない。
【０００４】
従来技術では、フィルタホルダーに少なくとも１つのフィルタを挿入して固定するように取り付けるための複数のスロットが設けられている。しかし、フィルタをスロットに挿入するとき、または、スロットに対してフィルタを調整するとき、スタックが発生しやすく、非常に不便である。複数のスロットを設置することによってフィルタホルダー全体の厚みを増大して、フィルタをスロットに挿入すると口径食が発生して、撮影効果に悪影響を与える。同時に、環境要因またはフィルタ自体の重量により、フィルタをスロットに取り付けたときに、緩みや脱落が発生して固定しにくくなり、さらにガラスフィルタの落下による壊れを引き起こす場合があり、ユーザに損失をもたらす。この他、スロット間の距離によりフィルタとフィルタの間にスリットが発生して光干渉を引き起こし、それにより漏光を発生させて、撮影効果に悪影響を及ぼす。
【考案の概要】
【考案が解決しようとする課題】
【０００５】
本考案の目的は、少なくともある程度で上記技術的問題を解決することである。
【０００６】
本考案の目的は、従来のフィルタとフィルタホルダーの挿入による固定方式の代わりに、磁気的吸着を用いることで、フィルタの取り付けおよび調整を簡便にして、写真撮影時に生じた口径食や漏光の問題を解決するフィルタ組立構造を提供することである。
【課題を解決するための手段】
【０００７】
上記目的を達成させるために、本考案は、下記技術案を採用する。
フィルタ組立構造であって、フィルタホルダーと磁気的吸着により前記フィルタホルダーに装着された少なくとも１つのフィルタとを含む。
【０００８】
本考案では、磁気的吸着によって、少なくとも１つのフィルタとフィルタホルダーを迅速に着脱でき、従来のフィルタホルダーにフィルタを取り付けるときのスタック現象を解消し、従来のスロットを省略してフィルタホルダー全体の厚みを大幅に低下させ、フィルタを取り付けた後に口径食が発生することがなく、撮影効果を向上させることができる。使用時、フィルタは、従来のホルダースロットの品質やフィルタ自体の重量により下へ移動しにくく、安定的且つ確実に装着でき、同時に、フィルタを柔軟且つ簡便に上下摺動または前後回転できる。磁気的吸着によって、フィルタとフィルタの間にスリットにより漏光が発生することがなく、撮影効果に悪影響を及ぼさない。
【０００９】
一実施形態では、前記フィルタの周辺に磁性材料が内部に設けられた固定枠が設けられ、前記フィルタホルダーはフィルタを取り付けるための取付領域が設けられ、少なくとも前記取付領域は磁性材料に磁気的に吸着可能な材料で製造される。磁気的吸着であっても、フィルタは落下して壊れにくい。しかしながら、固定枠を設置することによって、フィルタが事故により落下しても、固定枠の緩衝効果により壊れにくい。さらに、固定枠の設計により、漏光を防ぐためにフィルタとフィルタとの間に隙間がないことがさらに確保できる。
【００１０】
一般的に、磁性材料は、磁石、ゴムマグネットまたは金属磁石のような磁気を直接発生可能な物質を指す。本考案の磁性材料は、長期間にわたって確実に使用できるように、永久磁石材料が好ましい。磁性材料に磁気的に吸着可能な前記材料には、磁性材料、非磁性鉄含有材料およびこれらの組み合わせが含まれ、そのうち、非磁性鉄含有材料は、一般にステンレス鉄、鉄鋼、鉄板などの鉄元素を４０％以上含有する材料である。
【００１１】
勿論、別の実施形態では、フィルタホルダーの少なくとも取付領域は磁性材料で構成され、固定枠内には磁性材料に磁気的に吸着可能な材料が設置され、または、固定枠は磁性材料に磁気的に吸着可能な材料で製造されるものであってもよい。磁気的吸着の条件を満足できればよい
【００１２】
好ましくは、前記固定枠は上枠、下枠、左枠および右枠を含み、少なくとも前記左枠と右枠内に前記磁性材料が設けられる。それぞれフィルタの周辺に固定して容易に着脱できるように、固定枠が上下前後の4つの部分に分けられる。通常、フィルタを安定的にフィルタホルダーに取り付けるように、左枠と右枠内に磁性材料が設けられている。勿論、磁気的吸着をより増大して、取付安定性を高めるように、上枠および／または下枠内に磁性材料がさらに設置されてもよい。
【００１３】
より好ましくは、前記左枠と右枠はそれぞれ中空溝と第１Ｕ字型溝が設けられ、前記上枠と下枠はそれぞれ第２Ｕ字型溝が設けられ、前記上枠と下枠の両端にそれぞれボスが設けられ、前記左枠と右枠はそれぞれ第１Ｕ字型溝を介してフィルタの左右両側に嵌め合いし、前記上枠と下枠はそれぞれ第２Ｕ字型溝を介してフィルタの上下両側に嵌め合いし、前記中空溝内に前記磁性材料が設けられ、前記固定枠は前記ボスをそれぞれ中空溝の両端に嵌め込んで組み立てられる。このような構造は、固定枠内への磁性材料の設置も、固定枠自体の着脱および固定枠のフィルタへの着脱も容易である。
【００１４】
一好適実施形態では、前記第１Ｕ字型溝内および／または第２Ｕ字型溝内に両面テープが設けられる。Ｕ字型溝内に両面テープを設置することによってＵ字型溝とフィルタの縁部とをより密着できる。一般的な接着剤は温度またはその他の環境要因による影響を受けて接着性を失う恐れがあるが、両面テープは接着性が影響を受けにくいため、使用の耐久性に優れる。
【００１５】
一好適実施形態では、前記第１Ｕ字型溝および／または第２Ｕ字型溝の深さは１．５〜２ｍｍである。深さが低すぎると、Ｕ字型溝とフィルタの縁部が密着できず、脱落しやすくなり、深さが高すぎると、フィルタの幅を減少させて、写真撮影時に口径食が発生しやすい。この他、固定枠の厚みは、好ましくは３ｍｍ、Ｕ字型溝の両側壁の厚みは、好ましくは０．５ｍｍである。
【００１６】
好ましくは、少なくとも前記左枠または右枠に目盛りが設けられる。撮影過程によるフィルタの位置精度への要求が高いため、目盛りを設置することによって、ユーザはフィルタを容易に摺動してその位置を調整し、特に小範囲内で調整することができ、調整誤差を低下させ、精度を向上できる。
【００１７】
好ましくは、前記取付領域だけは磁性材料に磁気的に吸着可能な材料で製造される。言い換えれば、前記取付領域を除く領域は磁性材料に磁気的に吸着不能な材料で製造される。好ましくは、取付領域は垂直矩形領域であり、幅が好ましくは５〜１０ｍｍである。他の領域が磁性材料に磁気的に吸着不能な材料で製造されるため、取付領域だけは固定枠に磁気的に吸着される。固定枠が取付領域に合わせないと、ユーザはフィルタをフィルタホルダーに取り付けることができない。このような構成により、ユーザによるフィルタの取り付けまたは調整に有利である。
【００１８】
一実施形態では、前記フィルタ組立構造は、少なくとも２つのフィルタを含み、隣接するフィルタ間に磁気的吸着によりフィルタに固定された中空接続リングが設けられる。隣接する２つのフィルタは直接磁気的に吸着される場合、一方のフィルタは他方のフィルタに対して回転して調整すると、磁気的吸着方式は面接触から徐々に点接触になり、磁気的吸着が急激に減少して、フィルタの落下を引き起こして、点接触により回転調整範囲が制限されてしまう。このため、隣接するフィルタの間に中空接続リングが設けられることにより、一方のフィルタが他方のフィルタに対して回転して調整するとき、隣接する２つのフィルタと中空接続リングとの磁気的吸着方式は常に面接触を維持して、磁気的吸着を一定に保持し、フィルタの調整過程での脱落を防止するとともに、回転調整の精度を高める。
【００１９】
好ましくは、前記中空接続リングは、目盛りが設けられた円環状中空接続リングである。目盛りをリングに沿って設置することにより、ユーザはフィルタを容易に回転してその角度を調整し、特に小範囲内で調整することができ、調整誤差を低下させ、精度を向上できる。
【考案の効果】
【００２０】
本考案の有益な効果は以下のとおりである。
本考案は、磁気的吸着によって、少なくとも１つのフィルタとフィルタホルダーを迅速に着脱でき、従来のフィルタホルダーにフィルタを取り付けるときのスタック現象を解決し、従来のスロットを省略してフィルタホルダー全体の厚みを大幅に低下させ、フィルタを装着した後に口径食を発生させることがなく、撮影効果を向上させることができる。使用時、フィルタは、従来のホルダーのスロットの品質やフィルタ自体の重量により下へ移動しにくく、安定的且つ確実に装着でき、同時にフィルタを柔軟且つ簡便に上下摺動または前後回転できる。磁気的吸着によって、フィルタとフィルタの間にスリットにより漏光が発生することがなく、撮影効果に悪影響を及ぼさない。
【図面の簡単な説明】
【００２１】
【図１】本考案の実施例１におけるフィルタ組立構造の組立模式図である。
【図２】本考案の実施例１におけるフィルタと固定枠の組立模式図である。
【図３】本考案の実施例１におけるフィルタと固定枠の解体模式図である。
【図４】本考案の実施例１におけるフィルタと左枠の部分組立模式図である。
【図５】本考案の実施例１におけるフィルタと右枠の部分組立模式図である。
【図６】本考案の実施例１におけるフィルタと上枠の部分組立模式図である。
【図７】本考案の実施例１におけるフィルタと下枠の部分組立模式図である。
【図８】本考案の実施例２におけるフィルタ組立構造の組立模式図である。
【図９】本考案の実施例３におけるフィルタ組立構造の組立模式図である。
【図１０】本考案の実施例３におけるフィルタ組立構造の解体模式図である。
【００２２】
図面は、例示的な説明のためのものに過ぎず、本考案を限定するものと解釈されるべきではなく、実施形態をより良く説明するために、図面の構成要素の一部は省略、拡大または縮小され、実際の製品サイズを表すものではなく、当業者であれば、図中の一部の公知構造およびその説明を省略してもよいことが理解できる。
【考案を実施するための形態】
【００２３】
以下、図面および実施例を利用して、本考案についてさらに詳細に説明する。
【００２４】
実施例１
図１に示されるように、本考案に係るフィルタ組立構造１００は、フィルタホルダー２００と、磁気的吸着により前記フィルタホルダー２００に装着された１つのフィルタ３００とを含み、このように、フィルタ３００とフィルタホルダー２００を迅速に着脱でき、従来のフィルタホルダーにフィルタを取り付けるときのスタック現象を解消する。従来のスロットを省略してフィルタホルダー全体の厚みを大幅に低下させ、フィルタを取り付けた後に口径食を発生させることがなく、撮影効果を向上させることができる。使用時、フィルタ３００は、従来のホルダースロットの品質やフィルタ自体の重量により下へ移動しにくく、安定的且つ確実に装着でき、同時に、フィルタ３００を柔軟且つ簡便に上下摺動または前後回転させて調整できる。
【００２５】
本実施例では、前記フィルタ３００の周辺に磁性材料が内部に設けられた固定枠が設けられる。前記フィルタホルダー２００はフィルタ３００を取り付けるための取付領域（未図示）が設けられ、少なくとも前記取付領域は磁性材料に磁気的に吸着可能な材料で製造される。固定枠を設置することによって、フィルタが事故により落下しても、固定枠の緩衝効果により壊れにくい。
【００２６】
一般的に、磁性材料は、磁石、ゴムマグネットまたは金属磁石のような磁気を直接発生可能な物質を指す。本考案の磁性材料は、長期間にわたって確実に使用できるように、永久磁石材料が好ましい。磁性材料に磁気的に吸着可能な前記材料には、磁性材料、非磁性鉄含有材料およびこれらの組み合わせが含まれ、そのうち、非磁性鉄含有材料は、一般にステンレス鉄、鉄鋼、鉄板などの鉄元素を４０％以上含有する材料である。
【００２７】
本実施例では、前記取付領域だけは磁性材料に磁気的に吸着可能な材料で製造される。言い換えれば、前記取付領域を除く領域は磁性材料に磁気的に吸着不能な材料で製造される。好ましくは、取付領域は垂直矩形領域であり、幅が好ましくは５〜１０ｍｍである。取付領域が非磁性材料により囲まれているため、取付領域だけは固定枠に磁気的に吸着できる。固定枠が取付領域に合わせないと、ユーザはフィルタ３００をフィルタホルダー２００に取り付けることができない。このような構成により、ユーザによるフィルタの取り付けまたは調整に有利である。
【００２８】
図２〜３に示されるように、本実施例では、前記固定枠は上枠３０１、下枠３０２、左枠３０３および右枠３０４を含み、前記左枠３０３と右枠３０４内に前記磁性材料３０５が設けられる。通常、左枠と右枠内に磁性材料が設けられることによって、フィルタを安定的にフィルタホルダーに取り付けることが確保できる。勿論、他の実施例では、磁気的吸着をより増大して、取付安定性を高めるように、上枠および／または下枠内にも磁性材料が設けられてもよい。
【００２９】
図３〜７に示されるように、前記左枠３０３と右枠３０４はそれぞれ中空溝３０６と第１Ｕ字型溝３０７が設けられ、前記上枠３０１と下枠３０２はそれぞれ第２Ｕ字型溝３０８が設けられ、前記上枠３０１と下枠３０２の両端にそれぞれボス３０９が設けられ、前記左枠３０３と右枠３０４はそれぞれ第１Ｕ字型溝３０７を介してフィルタ３００の左右両側に嵌め合いし、前記上枠３０１と下枠３０２はそれぞれ第２Ｕ字型溝３０８を介してフィルタ３００の上下両側に嵌め合いし、前記中空溝３０６内に前記磁性材料３０５が設けられ、前記固定枠は前記ボス３０９をそれぞれ中空溝３０６の両端に嵌め込んで組み立てられる。このような構造は、固定枠内への磁性材料３０５の設置も、固定枠自体の着脱および固定枠のフィルタへの着脱も容易である。
【００３０】
本実施例では、前記第１Ｕ字型溝３０７内と第２Ｕ字型溝３０８内に両面テープが設けられる。Ｕ字型溝内に両面テープを設置することによって、Ｕ字型溝とフィルタの縁部とをより密着できる。
【００３１】
本実施例では、前記第１Ｕ字型溝３０７と第２Ｕ字型溝３０８の深さは１．５〜２ｍｍである。深さが低すぎると、Ｕ字型溝とフィルタの縁部が密着できず、脱落しやすくなり、深さが高すぎると、フィルタの幅を減少させて、写真撮影時に口径食が発生しやすい。この他、固定枠の厚みは、好ましくは３ｍｍ、Ｕ字型溝の両側壁の厚みは、好ましくは０．５ｍｍである。
【００３２】
本実施例では、前記左枠３０３および／または右枠３０４に目盛りが設けられる。撮影過程によるフィルタの位置精度への要求が高いため、目盛りを設置することによって、ユーザはフィルタを容易に摺動してその位置を調整し、特に小範囲内で調整することができ、調整誤差を低下させ、精度を向上できる。
【００３３】
実施例２
図８に示されるように、本実施例では、前記フィルタ組立構造１００は３つのフィルタ３００を含み、隣接するフィルタは磁気的吸着によって固定される点で、本実施例は実施例１と異なる。
【００３４】
磁気的吸着によって、フィルタ３００とフィルタ３００の間にスリットにより漏光が発生することがなく、撮影効果に影響を及ぼさない。さらに、本考案の固定枠の設計により、漏光を防ぐためにフィルタ３００とフィルタ３００との間に隙間がないことがさらに確保できる。
【００３５】
他の構造は実施例１と同様である。
【００３６】
実施例３
図９〜１０に示されるように、本実施例では、隣接するフィルタ３００間に磁気的吸着によりフィルタ３００に固定された中空接続リング４００が設けられる点で、本実施例は実施例２と異なる。隣接する２つのフィルタは直接磁気的に吸着される場合、一方のフィルタは他方のフィルタに対して回転して調整すると、磁気的吸着方式は面接触から徐々に点接触になり、磁気的吸着が急激に減少して、フィルタの落下を引き起こして、点接触により回転調整範囲が制限されてしまう。このため、隣接するフィルタの間に中空接続リング４００が設けられることにより、一方のフィルタが他方のフィルタに対して回転して調整するとき、隣接する２つのフィルタ３００と中空接続リング４００との磁気的吸着方式は常に面接触を維持して、磁気的吸着を一定に保持し、フィルタ３００の調整過程での脱落を防止するとともに、回転調整の精度を高める。
【００３７】
本実施例では、前記中空接続リング４００は、目盛りが設けられた円環状中空接続リングである。目盛りをリングに沿って設置することにより、ユーザはフィルタを容易に回転してその角度を調整し、特に小範囲内で調整することができ、調整誤差を低下させ、精度を向上できる。
【００３８】
他の構造は実施例２と同様である。
【００３９】
明らかに、本考案の上記実施例は、本考案を明確に説明するための例に過ぎず、本考案の実施形態を限定するのではない。 当業者であれば、上記説明に基づいて他の変形または変更を行うことができる。すべての実施形態を網羅的に示すことができず、且つ、その必要がない。本考案の精神および原理の範囲内でなされた変更、同等置換および改良は、本考案の特許請求の範囲の保護範囲に含まれるべきである。
【図１】
0003217232.tif 000003
【図２】
0003217232.tif 000004
【図３】
0003217232.tif 000005
【図４】
0003217232.tif 000006
【図５】
0003217232.tif 000007
【図６】
0003217232.tif 000008
【図７】
0003217232.tif 000009
【図８】
0003217232.tif 000010
【図９】
0003217232.tif 000011
【図１０】
0003217232.tif 000012